(57)【特許請求の範囲】
【請求項１】
飲料出しをする装置で、
飲料出しをする材料に熱湯を受け溜めておくための室で、開放下端をもつ上段室と、
開放上端部をもち、下端部にドレーン開口をもつ下段室と、
飲料出しをする材料の通過を防ぐために、前記下段室の上端部をおおうように取り付けられたフイルターと、
前記フイルターが前記上段室の前記下端部と前記下段室の前記上端部の間にクランプされ、前記上段室と下段室がシールされる第一の位置と、前記上段室の前記下端部が前記下段室の前記上端部から間隔をあけた第二の位置の間で前記上下室を移動させるために、前記下段室と前記上段室の間の相対的な運動を行わせる手段と、
前記下段室で移動出来るように取り付けられ、前記上下室の間の相対的な動きとタイミングを合わせて動くピストンと、
前記下段室のドレーン開口から飲料を放出する時間を速めるために、前記上段室と前記下段室とがシールされている時には閉じられ、前期上段室と前記下段室とが離れている時には開かれて前記下段室に空気を流入させるようにする排気穴が、前記下段室に取り付けられた排気装置との組み合わせからなる飲料出し装置。
【請求項２】
前記排気装置が、前記下段室と連絡する一方の端部と前記下段室から外側に伸びる第二の端部をもつ排気通路と、前記排気通路をシールし、周期的に前記排気通路のシールを取り除いて空気が前記下段室へ流入するようにするシーリング用プラグとを含むことを特徴とする請求項１に記載の装置。
【請求項３】
前記シーリング用プラグが上段室に接続され、前記フイルターが前記上段室の前記下端部と前記下段室の上端部の間にクランプされるときには前記排気通路をシールし、前記上段室の前記下端部が前記下段室の上端部から切り離されるときには、前記シーリング用プラグが前記排気通路との噛み合わせをはずれるようにしていることを特徴とする請求項２に記載の装置。
【請求項４】
前記シーリング用プラグが作動装置に取り付けられ、前記作動装置に連結された駆動装置が作動装置を動かして、前記シーリング用プラグが前記排気通路をふさいだり開いたりするようにしていることを特徴とする請求項２に記載の装置。
【請求項５】
前記駆動装置が、出力シヤフトのついたモーターと、前記出力シヤフト上に取り付けられたカムと、前記駆動装置に接続され前記カムと噛み合うカム・フオロワーとを含むことを特徴とする請求項４に記載の装置。
【請求項６】
前記排気装置は、前記上段室の下端部と前記下段室の上端部とが前記フィルターをクランプする時には該フィルターの部分上に延びてその部分とかみ合って結合し、前記上段室の下段部が前記下段室の上端部から間隔をあける時には該フィルター部分とのかみ合わせ点からはなれるように動く延長部をもつ、前記上段室の下端部に取り付けられたガスケットを含むことを特徴とする請求項１に記載の装置。
【発明の詳細な説明】
【０００１】
【産業上の利用分野】
本発明は、一般的に、一サイクルの間にコーヒー、お茶またはその他の飲料を出す装置に関する。特に本発明はコーヒー出し器の改良に関し、それは下段室からより速くコーヒーが排出されるようにし、フイルター部品を清掃する間でより多くのカツプにコーヒーが入れられるような機構を可能にする。
【０００２】
【従来の技術】
本発明は、共に、１９７１年２月２３日付けのアメリカ合衆国特許第3,565,641 号に記載されている装置の改良である１９９４年１０月４日付けのアメリカ合衆国特許第5,351,605 号および１９９４年９月２７日付けのアメリカ合衆国特許第5,349,897 号に記載されたような一個のカツプに飲料をつくる飲料出し器の改良であり、前記の全ての特許は本発明の申請者によるものである。これらの三つの特許は一カツプのコーヒーをつくる方法と装置を記述している。この装置には上段室があり、その上部が開放されていて、コーヒーと熱湯が入れられ混合される。サイクルの大部分では上段室は下段室に対してしっかりとシールされている。
【０００３】
下段室の上部には、液体が二つの室の間を移動できるようにするフイルター部品がある。下段室は空気を上下に動かすことのできるピストンを含む。このピストンはまず上方に動いて、上段室のコーヒーと熱湯の混合体の中に空気を強制的に送る。この空気の動きがコーヒーと熱湯を撹拌する。ピストンは次に下方に動いて、液体のコーヒーをフイルターを通してひっぱる。液体のコーヒーは、下段室の出口穴に達するまで引き出され、そこでコーヒーは噴出口に沿って注がれる。次に上段室、下段室は分離され、使用済みのコーヒーかすを取り除くことができる。
【０００４】
アメリカ合衆国特許第5,351,604 号に記載されている装置は、下段室の上部に固定式恒久フイルター部品をもっている。コーヒーかすは、フイルター部品を横切り、残りかすを引っ掻いてかすがかす容器に落ちるようにするワイパーによって取り除かれる。多くのコーヒー・カツプが入れられるにしたがって、多くの残りかすがフイルター部品に蓄積する。この残りかすによってフイルター部品を通過する空気の流れが制限される。液体のコーヒーが下段室を出ようとすると、下段室は真空になり続けるので流れが制限される。液体のコーヒーが下段室を出ようとすると、下段室は真空になり続けるので流れが制限される。いつかは空気が下段室に漏れ、下段室が空になるが、これには数秒かかる。この時間遅れは残りかすを取り除くためにフイルター部品を清掃することにより短くすることができる。
【０００５】
【発明が解決しようとする課題】
本発明は、コーヒー出し機構が、フイルター部品の清掃をすることなしにより多くのカツプにコーヒーを入れることを可能にする。
【０００６】
本発明の目的は、液体のコーヒーが素早くスムーズに下段室から出られるように、下段室が空になる時に下段室の付加的な排気が出来るようにすることである。このことは、コーヒー出し機構がたくさんのカツプにコーヒーを入れ、フイルター部品に過剰な残りかすがたまるようなときに特に有効である。本発明は、フイルター部品を清掃することなしにより多くのカツプのコーヒーを入れることを可能にする。
【０００７】
【課題を解決するための手段】
本発明の特徴は、下段コーヒー入れ室に空気抜き用の穴をあけ、その穴はコーヒーが下段室から取り出される間は開いており、下段室の圧力を変えてコーヒーが素早くスムーズに下段室から流れ出せるようにしていることである。
【０００８】
本発明の特徴は、下段コーヒー入れ室に空気抜き用の穴をあけ、その穴は上下のコーヒー入れ室が分離しているときには開いており、コーヒーが素早くスムーズに下段室から流れ出せるようにしていることである。
【０００９】
本発明のもう一つの特徴は、下段室に排気穴をあけ、コーヒー出しサイクルのある一定部分では閉じており、コーヒーが下段コーヒー出し室から放出されるときには開いて、コーヒーが素早くスムーズに下段室から流れ出せるようにしていることである。
【００１０】
本発明のもう一つの特徴は、上段室のガスケツトの一部分がフイルター部品の一部分をブロツクして、フイルター部品のその部分をコーヒーの残りかすからシールし、残りかすがフイルター部品のその部分に出来ないようにしていることである。こうすると、フイルター部品のシールドされた部分は多くの残りかすを蓄積せず、上段室と下段室が分離されたときに、下段室の排気がよくなる。
【００１１】
本発明のその他の目的や特徴、利点は、本発明の新しい概念の精神や範囲から離れることなしに変更や修正が可能であるけれども、添付された図面とともに示されたある望ましい実施例の以下の記述から明らかになろう。
【００１２】
【実施例】
図１−４は、円筒形の壁３１で形成される下段の飲料入れ室３０と上段室５８をもつ飲料出し器の本発明による望ましい実施例を示す。下段飲料入れ室３１は、ブラケツト部品２１０により下段フレーム部品１２に接続され、ピストン４４が下段飲料入れ室３１の中で移動出来るように装着され、ピストンはピストン棒１０６とピボツト・ピン１０５とによって、クランク・アーム１０４に接続されている。クランク・アーム１０４は、フレーム部品１２に回転出来るように装着されたシヤフト１０２に取り付けられ、シヤフトは、アメリカ合衆国特許第5,351,604 号にその詳細が開示されているような適切な駆動モータの出力に接続することが出来る。下段飲料入れ室３１の上部蓋３４には、その上にフイルター３８が装着される開口部がある。下段飲料入れ室３１には、その下方端に隣接して排出用の穴４０があり、噴出口４２が排出用穴４０の周りに取り付けられ、コーヒーのような漉された飲料を下段飲料入れ室４１から穴４０を通ってカツプに注ぐことが出来る。
【００１３】
上段飲料入れ室５８は、外壁６９と、上段室６９の上部に内側に伸びる一対のバツフル２０２と２０３とで構成される。上段室６９は支持アーム５２と５３に可動式に支持され、支持アームは図１に示されるように、上段飲料入れ室６９に取り付けられた例えば５６のような噛み合わせピンと噛み合わさる。アーム５２と５３は十字継ぎ手部品５１により連結され、十字継ぎ手部品５１は、水平部１２９によって棒１２８へ接続され、棒１２８はシヤフト１０２の取り付けられたカム１１２と噛み合うカム・フオロワー１２２に接続される。ローラー１２４がカム・フオロワー１２２に取り付けられ、カム１１２と噛み合わさる。
【００１４】
シール用ガスケツト５９が上段飲料入れ室６９の下端に取り付けられ、上段と下段の飲料入れ室が噛み合わさってシールをするときには、下段の飲料入れ室３１の上部プレート３４と噛み合わさる。図２と図４に最もよく示されるように、排気穴２５８が下段飲料入れ室３１の上部に作られ、導管２５７が下段飲料入れ室３１から外側に向かって伸び、導管２５７は穴２５５のある上方に伸びる部分２５４をもつ。導管２５４にはフイルター２５６が取り付けられる。上部飲料入れ室６９の下方部分にはブラケツト２５１があり、ブラケツトは弾性のある物質でできたシール２５２を装着し、図２と図３に示されるように上段飲料入れ室６９が下段飲料入れ室３１と噛み合わさる時に、導管２５４の穴２５５にはまり合う。シール２５２は、排気口２５５に押し付けられたときに排気口をシールするようにシリコン・ラバーのようなガスケツト材料で作られる。プラグ２５２が穴２５５をふさぐと、排気口２５８はシールされ、空気あるいは液体が排気口を通過できなくなる。
【００１５】
作動サイクルの開始に先立って、上段飲料入れ室６９が棒１２８とアーム５２と５３によってクランプされ、ガスケツト５９は、下段飲料入れ室３１の上部プレート３４と噛み合うことにより、上段飲料入れ室を下段飲料入れ室に対してシールする。アメリカ合衆国特許第5,351,604 号にその詳細が記述されているように、飲料入れサイクルの間に、ピストン４４が、下段飲料入れ室３１の中で上下に動いて、上段と下段の飲料入れ室が交互にお互いに接続されたり分離されたりする。
【００１６】
作動サイクルの開始に先立って、上段飲料入れ室５８は下段飲料入れ室３０にクランプされシールされて、図２に示されるような位置にある。この時、排気口プラグ２５２は穴２５５をシールし、排気穴２５８が閉ざされる。作動サイクルの最初の１９０°の間は上段室５８は下段室３０にクランプされた状態のままである。サイクルのこの部分の間、コーヒーと熱湯が上段室５８に注がれ、ピストン４４が上方に動くことによりピストンによって上段室に送り込まれる空気で撹拌される。次にピストンが下方に動くと、コーヒー液体がフイルター部品３８を通して下段飲料入れ室３１に引き入れられる。
【００１７】
図４に示されるように、作動サイクルの次ぎの１７０°では、上段室５８はロツド棒１２８によって下段室３０の上部から持ち上げられ、こうなると排気口２５５は排気プラグ２５２がはずれるので蓋が開く。ピストン４４が下方に動き続け、下段飲料入れ室３１の穴４０を開き、こうなるとコーヒー液体が噴出口４２から出て行く。排気穴２５８は、下段室３１の上部に空気を導き入れるようにし、これが下段飲料入れ室３１にできた部分的真空を緩和するので、下段室が３１にできているコーヒー液体が素早く下段室３１から出られるようにする。上段室６９が再び閉まって下段室３１の上部をシールし、排気プラグ２５２が上部プレート３４にある排気穴２５５を閉じるとサイクルが完結する。勿論、特許第5,351,604 号に示されるように、使用されたコーヒーの残りかすは、カム３２１により駆動されるワイパー機構３２０によってフイルター３８から取り除かれることを理解されたい。ワイパー構造の更なる詳細は、ここでは参考文献として採用している特許第5,351,604 号の開示を参照されたい。
【００１８】
このように、本発明は、ピストン４４が下方に動くときに下段室に生じる部分的真空を、排気穴２５８を通して空気を下段飲料入れ室に導き入れて緩和できるようにして、コーヒーが素早く開口部噴出口から流れ出るようにし、コーヒー入れサイクルを短縮できるようにする。図５は本発明の修正例を示し、そこでは排気穴４０１は下段飲料入れ室３１の上部に形成され、それは、適当なガイドに取り付けられ、駆動シヤフト１０２に取り付けられたカム４０７と噛み合う噛み合わせ部分４０６をもつアーム４０５上の排気プラグ４０４にはまり合う外側への開口４０３をもつ導管４０２に接続される。カム４０７は押しロツド棒４０５を動かし、開口４０３から排気プラグ４０４を開いたり閉じたりする。排気プラグ４０４を開いたり閉じたりするのは、下段飲料入れ室３１の濾過されたコーヒーが穴４０と噴出口４２を出て行くようにピストン４２が開口４０とそろうように動くと、排気プラグ４０４が開くようにタイミングを合わせている。排気開口は下段飲料入れ室の再上部に示されているけれども、それはどんな位置にあってもよく、そのような開口は飲料を入れるサイクルの間、ピストン４４が下方に動いてコーヒー又はそのほかの飲料が開口４０から放出されるまで閉じている。排気口４０１の開閉はカム４０７とドライブ・シヤフト１０２により制御される。
【００１９】
図６と図７は実施例の更なる修正例を示し、そこでは下段飲料入れ室のプレート３４に対して上段飲料入れ室をシールするガスケツト３５９は、それを止めるためにフイルター３８の一部分の上に伸びる延長部をもち、こうしてコーヒーかすがガスケツト３５９の延長部６１の下のフイルターの部分を覆わないようにしている。このように、上部室６９が上方に動くとき、延長部３６１に覆われたガスケツト３８の部分にはコーヒーかすがくっつくことがなく、空気がフイルター３８のこのコーヒーかすがくっついていない部分を流れて、下段飲料入れ室の部分真空を緩和し、濾過されたコーヒーが急速に開口４０から出て行くようにする。
【００２０】
本発明は、望ましい実施例に対して記述されているけれども、これだけに制限されるものではなく、添付された請求項で明示された本発明の全体的に意図する範囲の中で変形や修正が可能である。
【図面の簡単な説明】
【図１】本発明の望ましい実施例の透視図である。
【図２】本発明の望ましい実施例を示す断面図である。
【図３】本発明の望ましい実施例を示す前方平面図である。
【図４】上段と下段のコーヒー入れ室が分離された様子を示す本発明の断面図である。
【図５】本発明の修正例を示す断面図である。
【図６】本発明のもう一つの修正例を示す詳細断面図である。
【図７】図６に示された修正例を示す上段切断図である。
【符号の説明】
１２  下段フレーム部品
３０  飲料入れ室
３１  下段飲料入れ室
３４  上部蓋
３８  フイルター
４０  排出用穴
４２  噴出口
４４  ピストン
５１  十字継ぎ手部品
５２、５３  支持アーム
５６  噛み合わせピン
５８  上段室
５９  シール用ガスケツト
６９  外壁
１０２  シヤフト
１０４  クランク・アーム
１０５  ピボツト・ピン
１０６  ピストン棒
１１２  カム
１２２  カム・フオロワー
１２４  ローラー
１２８  ロツド棒
１２９  水平部
２０２、２０３  バツフル
２１０  ブラケツト部品
２５１  ブラケツト
２５２  シール
２５４  上方に伸びる部分
２５５  穴
２５７  導管
２５８  排気穴
３５９  ガスケツト
４０１  排気穴
４０４  排気プラグ
４０５  押しロツド棒
４０６  噛み合わせ部分
４０７  カム
【図１】
0003845132.tif 000002
【図２】
0003845132.tif 000003
【図３】
0003845132.tif 000004
【図４】
0003845132.tif 000005
【図５】
0003845132.tif 000006
【図６】
0003845132.tif 000007
【図７】
0003845132.tif 000008